(57)【特許請求の範囲】
【請求項１】
ねじによって対象物に取着される取着位置と該取着位置から離間した非取着位置との間で移動可能に構成された取着部材に設けられ、該取着部材を前記対象物に前記ねじによって取着する際に、該ねじの軸が挿通されるねじ挿通孔と、
該ねじ挿通孔に前記軸が挿通された状態の前記ねじが前記対象物から離脱した場合に前記ねじ挿通孔から抜け落ちることを規制する規制部と
を備えたねじの抜け落ち規制構造であって、
前記ねじ挿通孔は、前記ねじの前記軸を挿抜自在とするように前記取着部材に設けられ、
前記規制部は、
前記取着部材に対して一体に設けられ、
前記ねじ挿通孔に前記軸が挿通された状態の前記ねじの頭が当接可能であるとともに前記ねじ挿通孔と対向するように配置された当接部と、
該当接部と前記取着部材における前記ねじ挿通孔が開口した開口面とを前記ねじ挿通孔よりも下側で連結する連結部と
を備えることを特徴とするねじの抜け落ち規制構造。
【請求項２】
前記当接部から前記開口面までの距離は、前記ねじの全長よりも短くなるように設定されていることを特徴とする請求項１に記載のねじの抜け落ち規制構造。
【請求項３】
前記取着部材は、鉛直方向と交差する方向に延びる軸部を中心に前記取着位置と非取着位置との間で回動可能に構成されていることを特徴とする請求項１または請求項２に記載のねじの抜け落ち規制構造。
【請求項４】
前記規制部は、前記取着部材が前記取着位置と非取着位置との間で回動される際に、鉛直方向の下側から前記ねじを支持することを特徴とする請求項３に記載のねじの抜け落ち規制構造。
【請求項５】
前記取着部材は、前記対象物に対して開閉自在に取着されるカバー部材によって構成され、
前記カバー部材が最大限開放された状態では、前記ねじのねじ先が上側を向くことを特徴とする請求項３または請求項４に記載のねじの抜け落ち規制構造。
【発明の詳細な説明】
【技術分野】
【０００１】
本発明は、ねじの抜け落ち規制構造に関する。
【背景技術】
【０００２】
従来、ねじの抜け落ち規制構造として、例えば特許文献１に示すネジの脱落防止構造が知られている。この特許文献１のネジの脱落防止構造は、ネジ孔におけるネジが挿入される側を広くしたテーパー面形状の孔にすると共に、そのネジ孔の最小径Ｎと、ネジの丸棒の径Ｋと、そのネジのネジ山の径Ｍとの関係が、Ｋ＜Ｎ＜Ｍとなるようにして、ネジ孔からのネジの脱落を防止している。
【先行技術文献】
【特許文献】
【０００３】
【特許文献１】特開平８−４２５４６号公報
【発明の概要】
【発明が解決しようとする課題】
【０００４】
ところで、特許文献１のネジの脱落防止構造では、上記したＫ＜Ｎ＜Ｍの関係が成り立つ条件を満たさなければならないため、こうした条件に合う特殊なネジを用いなければならないという問題があった。
【０００５】
本発明は、このような従来技術に存在する問題点に着目してなされたものである。その目的とするところは、汎用性のあるねじを用いても、ねじ挿通孔に軸が挿通された状態のねじが対象物から離脱した場合に、該ねじがねじ挿通孔から抜け落ちることを抑制することが可能なねじの抜け落ち規制構造を提供することにある。
【課題を解決するための手段】
【０００６】
上記目的を達成するために、本発明のねじの抜け落ち規制構造は、ねじによって対象物に取着される取着位置と該取着位置から離間した非取着位置との間で移動可能に構成された取着部材に設けられ、該取着部材を前記対象物に前記ねじによって取着する際に、該ねじの軸が挿通されるねじ挿通孔と、該ねじ挿通孔に前記軸が挿通された状態の前記ねじが前記対象物から離脱した場合に前記ねじ挿通孔から抜け落ちることを規制する規制部と
を備えたねじの抜け落ち規制構造であって、前記ねじ挿通孔は、前記ねじの前記軸を挿抜自在とするように前記取着部材に設けられ、前記規制部は、前記取着部材に対して一体に設けられ、前記ねじ挿通孔に前記軸が挿通された状態の前記ねじの頭が当接可能であるとともに前記ねじ挿通孔と対向するように配置された当接部と、該当接部と前記取着部材における前記ねじ挿通孔が開口した開口面とを前記ねじ挿通孔よりも下側で連結する連結部とを備える。
【０００７】
この発明によれば、汎用性のあるねじを用いても、ねじ挿通孔に軸が挿通された状態のねじが対象物から離脱した場合に、規制部により、該ねじがねじ挿通孔から抜け落ちることを抑制することが可能となる。
【０００８】
本発明のねじの抜け落ち規制構造において、前記当接部から前記開口面までの距離は、前記ねじの全長よりも短くなるように設定されている。
【０００９】
この発明によれば、ねじの頭が当接部に当接した状態では、該ねじの軸がねじ挿通孔に挿通された状態となるため、ねじがねじ挿通孔から抜け落ちることを効果的に抑制することが可能となる。
【００１０】
本発明のねじの抜け落ち規制構造において、前記取着部材は、鉛直方向と交差する方向に延びる軸部を中心に前記取着位置と非取着位置との間で回動可能に構成されている。
この発明によれば、軸部を中心に取着部材を取着位置と非取着位置との間で回動させる際には、ねじがねじ挿通孔から抜け落ち易くなるが、このような場合でも規制部によって該ねじがねじ挿通孔から抜け落ちることを抑制することが可能となる。
【００１１】
本発明のねじの抜け落ち規制構造において、前記規制部は、前記取着部材が前記取着位置と非取着位置との間で回動される際に、鉛直方向の下側から前記ねじを支持する。
この発明によれば、取着部材が取着位置と非取着位置との間で回動される際に、規制部によってねじが鉛直方向の下側から支持されるため、該ねじがねじ挿通孔から抜け落ちることを効果的に抑制することが可能となる。
【００１２】
本発明のねじの抜け落ち規制構造において、前記取着部材は、前記対象物に対して開閉自在に取着されるカバー部材によって構成され、前記カバー部材が最大限開放された状態では、前記ねじのねじ先が上側を向く。
【００１３】
この発明によれば、カバー部材が最大限開放された状態では、ねじのねじ先が上側を向くため、該ねじがねじ挿通孔から抜け落ち易くなるが、このような場合でも規制部によって該ねじがねじ挿通孔から抜け落ちることを抑制することが可能となる。
【図面の簡単な説明】
【００１４】
【図１】実施形態のインクジェット式プリンターの斜視図。
【図２】同プリンターのキャリッジの要部斜視図。
【図３】同キャリッジのセンサー収容部の拡大斜視図。
【図４】同カバー部材を外側から見たときの斜視図。
【図５】同カバー部材を内側から見たときの斜視図。
【図６】同カバー部材の規制部とねじとの位置関係を示す側面図。
【図７】同キャリッジにおいて、センサー収容部のカバー部材が閉塞位置にあるときの状態を示す要部拡大断面図。
【図８】同キャリッジにおいて、センサー収容部のカバー部材が開放位置にあるときの状態を示す要部拡大断面図。
【発明を実施するための形態】
【００１５】
以下、本発明のねじの抜け落ち規制構造を記録装置の一種であるインクジェット式プリンターに適用した一実施形態について、図面に従って説明する。また、以下の説明において、「前後方向」、「左右方向」、「上下方向」をいう場合は図１に矢印で示す前後方向、左右方向、上下方向をそれぞれ示すものとする。
【００１６】
図１に示すように、記録装置としてのインクジェット式プリンター１１は、本体フレーム１２を備えている。本体フレーム１２の下部には、その長手方向である左右方向に沿って支持台１３が延設されている。支持台１３上には、図示しない紙送り機構により記録用紙Ｐが後方側から前方側に向かう方向（副走査方向）に沿って給送されるようになっている。
【００１７】
本体フレーム１２における支持台１３の上方には、該支持台１３の長手方向（左右方向）に沿って主ガイド軸１４が延設されている。さらに、本体フレーム１２における主ガイド軸１４の上方には、該主ガイド軸１４と平行に副ガイド軸１５が延設されている。主ガイド軸１４には、該主ガイド軸１４の軸方向（左右方向）に沿って往復移動可能に対象物としてのキャリッジ１６が支持されている。
【００１８】
すなわち、キャリッジ１６の後面下部には左右一対の軸受部１６ａが設けられるとともに、該各軸受部１６ａには主ガイド軸１４が摺動可能に嵌合している。また、キャリッジ１６の後端上部には、副ガイド軸１５に対して後側から摺動可能に係合する係合部１６ｂが設けられている。そして、係合部１６ｂは、キャリッジ１６の自重により、副ガイド軸１５に対して常に荷重をかけながら当接している。
【００１９】
本体フレーム１２における主ガイド軸１４の両端部のやや上側の位置には、駆動プーリー１７ａ及び従動プーリー１７ｂが回転自在に支持されている。駆動プーリー１７ａにはキャリッジ１６を主ガイド軸１４に沿って往復移動させる際の駆動源となるキャリッジモーター１８の出力軸が連結されている。
【００２０】
そして、両プーリー１７ａ，１７ｂ間には一部がキャリッジ１６に連結された無端状のタイミングベルト１９が掛装されている。したがって、キャリッジ１６は、主ガイド軸１４及び副ガイド軸１５にガイドされながら、キャリッジモーター１８の駆動力により無端状のタイミングベルト１９を介して左右方向に往復移動されるようになっている。
【００２１】
キャリッジ１６の下面側には記録ヘッド２０が支持されるとともに、該記録ヘッド２０の下面には複数のノズル（図示略）が開口している。また、本体フレーム１２の左下には、内部に各色のインクが充填されたインクタンク２１が配置されている。インクタンク２１は、可撓性のインク供給チューブ２２を介してキャリッジ１６に支持された記録ヘッド２０に接続されている。したがって、インクタンク２１内の各色のインクは、インク供給チューブ２２を介して記録ヘッド２０に供給されるようになっている。
【００２２】
そして、キャリッジ１６を主ガイド軸１４に沿って左右方向（主走査方向）に往復移動させながらインクタンク２１から記録ヘッド２０に供給された各色のインクを各ノズル（図示略）から支持台１３上に給送された記録用紙Ｐに噴射することで、印刷が行われるようになっている。
【００２３】
図１〜図３に示すように、インクジェット式プリンター１１は、リニアエンコーダー２３を備えている。リニアエンコーダー２３は、本体フレーム１２に対してキャリッジ１６の移動方向（左右方向）に沿うように延設された帯状の符号板２３ａと、キャリッジ１６の後面に設けられたセンサー収容部２４に２つの固定ねじ２５によって取着されたセンサー２３ｂとを備えている。
【００２４】
符号板２３ａは主走査方向に沿って一定ピッチで開口する多数のスリットを有する一方、センサー２３ｂは投光部から出射されてスリットを通過した光を受光部で受光するようになっている。そして、リニアエンコーダー２３の出力パルスのパルス数を制御部（図示略）が計数することで、キャリッジ１６の主走査方向における位置が把握されるようになっている。
【００２５】
図２及び図３に示すように、キャリッジ１６には、センサー収容部２４を覆うための取着部材としてのカバー部材２６がねじとしての取着ねじ２７によって開閉自在に取付けられている。したがって、カバー部材２６は、センサー収容部２４の蓋として機能する。この場合、取着ねじ２７には、汎用性のある一般的なねじが用いられる。
【００２６】
そして、カバー部材２６を閉じた際に、取着ねじ２７を該カバー部材２６の取付片３０のねじ挿通孔３０ａ（図４参照）に挿通した状態でキャリッジ１６におけるセンサー収容部２４の上側に設けられた円筒状の雌ねじ部２８のねじ孔２８ａに螺入することで、カバー部材２６がキャリッジ１６に取着（固定）される。なお、図３はカバー部材２６を省略して描いている。
【００２７】
図４〜図６に示すように、カバー部材２６は全体として左右方向に長い略矩形箱状をなす本体部２９を備えている。本体部２９の上端部における左右方向の中央部よりもやや右寄りの位置には、略半円板状をなす取付片３０が上方に向かって突設されている。取付片３０には、該取付片３０の中央部を前後方向に貫通するねじ挿通孔３０ａが形成されている。ねじ挿通孔３０ａの内径は、取着ねじ２７の軸２７ａの外径よりも大きく且つ取着ねじ２７の頭２７ｂの外径よりも小さくなるように設定されている。したがって、取着ねじ２７の軸２７ａは、ねじ挿通孔３０ａに対して挿抜自在となっている。
【００２８】
本体部２９の後面の上端部における取付片３０と対応する位置には、軸２７ａがねじ挿通孔３０ａに挿通された状態の取着ねじ２７が該ねじ挿通孔３０ａから後側に抜け落ちることを規制するための規制部３１が本体部２９に対して一体に設けられている。規制部３１は、左右方向から見てＬ字状をなしているとともに、本体部２９の後面における取付片３０の直ぐ下側の位置から後方に向かって真っ直ぐ水平に延びる矩形板状の連結部３１ａと、該連結部３１ａの後端（先端）から上方に向かって真っ直ぐ垂直に延びる矩形板状の当接部３１ｂとを備えている。したがって、連結部３１ａは、当接部３１ｂと本体部２９の後面とを連結している。
【００２９】
この場合、左右方向における連結部３１ａ及び当接部３１ｂの幅は、ともに左右方向における取付片３０の幅と同じになるように設定されている。また、本体部２９の後面と取付片３０の後面とは面一になっているとともに、本体部２９の後面における規制部３１が設けられた部分から上側と取付片３０の後面とを含む領域は、ねじ挿通孔３０ａが開口した開口面２６ａとされている。
【００３０】
また、取着ねじ２７の軸２７ａの先端部をねじ挿通孔３０ａに挿通した状態では、取着ねじ２７の頭２７ｂが当接部３１ｂに当接するようになっている。この場合、当接部３１ｂの上端は、取着ねじ２７の頭２７ｂの中心と下端との間の中央位置とほぼ同じ高さまで達している。すなわち、当接部３１ｂは、ねじ挿通孔３０ａの軸方向（図６では前後方向）において、該ねじ挿通孔３０ａと対向している。
【００３１】
また、当接部３１ｂの上端における左右方向の中央部には、略円弧状の凹部３１ｃが形成されている。そして、開口面２６ａと当接部３１ｂとの距離Ａは、取着ねじ２７の全長Ｂよりも短くなるように設定されている。この場合、当接部３１ｂは、ねじ挿通孔３０ａに対する後斜め上方からの取着ねじ２７の挿抜を妨げないようになっている。
【００３２】
本体部２９の下端部における前端には、左右一対の軸部３２が設けられている。各軸部３２は、鉛直方向（上下方向）と直交する左右方向に沿って延びるとともに、それぞれ本体部２９の左右両端よりも外側に突出している。そして、各軸部３２を、キャリッジ１６（図３参照）のセンサー収容部２４（図３参照）の左右両側に対をなすように設けられるとともに符号板２３ａ（図３参照）を通すための縦長の各スリット３３（図３参照）に、該センサー収容部２４の内側からそれぞれ回動可能に挿入することで、カバー部材２６がキャリッジ１６に対して回動可能に支持される。
【００３３】
したがって、カバー部材２６は、各軸部３２を中心として、センサー収容部２４を閉塞する閉塞位置（取着位置；図７に示す位置）とセンサー収容部２４を開放する開放位置（非取着位置；図８に示す位置）との間で回動するようになっている。そして、カバー部材２６を閉塞位置に回動させた状態では、ねじ挿通孔３０ａと雌ねじ部２８のねじ孔２８ａ（図３参照）とが前後方向において重なる。この状態で、取着ねじ２７をねじ挿通孔３０ａに挿通しながらねじ孔２８ａに螺入することで、該取着ねじ２７によりカバー部材２６がキャリッジ１６（図７参照）に取着（固定）される。
【００３４】
図４に示すように、カバー部材２６の本体部２９の後面のほぼ中央部には、該カバー部材２６を閉塞位置と開放位置との間で回動させる際につまむための矩形板状の取っ手３４が後方に向かって突設されている。また、図６に示すように、カバー部材２６の本体部２９の下面における左右方向の中央部のやや前寄りの位置には、矩形板状のストッパー３５が下方に向かって突設されている。ストッパー３５は、図８に示すように、カバー部材２６を開放位置へ回動させた際に、キャリッジ１６に当接することで、該カバー部材２６を開放位置（カバー部材２６が最大限開放された状態）で停止させるようになっている。
【００３５】
なお、本実施形態では、ねじ挿通孔３０ａと規制部３１とにより、ねじの抜け落ち規制構造が構成されている。
次に、センサー収容部２４に収容されたセンサー２３ｂの交換時の作用について説明する。
【００３６】
さて、センサー収容部２４に収容されたセンサー２３ｂの交換を行う場合には、まず、取着ねじ２７の頭２７ｂの十字穴にプラスドライバー（図示略）を挿入するとともに、該プラスドライバーを後側から見て反時計方向に回転させて、該取着ねじ２７を雌ねじ部２８のねじ孔２８ａから離脱させる。このとき、規制部３１の当接部３１ｂには凹部３１ｃが形成されているため、プラスドライバーで取着ねじ２７を回転させる際に当接部３１ｂが邪魔にならない。
【００３７】
さらにこのとき、取着ねじ２７の頭２７ｂが当接部３１ｂに当接した状態となるが、この状態では取着ねじ２７の軸２７ａの先端部がねじ挿通孔３０ａ内にある。このため、取着ねじ２７は、規制部３１によって下側から支持されるとともに、左右方向及び後側方向への移動が規制されるため、該取着ねじ２７がねじ挿通孔３０ａから抜け落ちることが規制される。
【００３８】
引き続き、カバー部材２６を閉塞位置から開放位置へ回動させると、ストッパー３５がキャリッジ１６に当接するため、カバー部材２６が開放位置で停止する。このとき、カバー部材２６が閉塞位置から開放位置へ回動する過程においても、常に取着ねじ２７が規制部３１によって鉛直方向（上下方向）の下側から支持されるため、該取着ねじ２７がねじ挿通孔３０ａから抜け落ちることが好適に規制される。
【００３９】
そして、カバー部材２６が開放位置まで回動した状態では、取着ねじ２７のねじ先２７ｃが上側を向いた状態となるが、この状態でも取着ねじ２７は規制部３１によって鉛直方向の下側から支持されるため、該取着ねじ２７がねじ挿通孔３０ａから抜け落ちることが規制される。引き続き、センサー収容部２４にセンサー２３ｂを固定している２つの固定ねじ２５をプラスドライバー（図示略）で取り外す。
【００４０】
このとき、固定ねじ２５が落下しても、開放位置にあるカバー部材２６が固定ねじ２５の受け皿として機能するため、該固定ねじ２５をカバー部材２６で受けることができる。また、開放位置にあるカバー部材２６は、センサー２３ｂの真後ろから退避した状態になっているため、該カバー部材２６がセンサー２３ｂの交換作業の妨げになることもない。そして、センサー２３ｂを交換した後は、カバー部材２６を開放位置から閉塞位置へ回動させた状態で取着ねじ２７をねじ挿通孔３０ａに挿通しながらねじ孔２８ａに螺入することで、該取着ねじ２７によりカバー部材２６がキャリッジ１６に取着される。
【００４１】
以上、詳述した実施形態によれば以下の効果を得ることができる。
（１）カバー部材２６において、規制部３１は、ねじ挿通孔３０ａの軸方向において該ねじ挿通孔３０ａと対向するように本体部２９に対して一体に設けられている。このため、汎用性のある取着ねじ２７を用いても、ねじ挿通孔３０ａに軸２７ａが挿通された状態の取着ねじ２７がキャリッジ１６の雌ねじ部２８のねじ孔２８ａから離脱した場合に、規制部３１により、該取着ねじ２７がねじ挿通孔３０ａから抜け落ちることを抑制（規制）することができる。
【００４２】
（２）カバー部材２６において、当接部３１ｂから開口面２６ａまでの距離Ａは、取着ねじ２７の全長Ｂよりも短くなるように設定されているため、取着ねじ２７の頭２７ｂが当接部３１ｂに当接した状態では、該取着ねじ２７の軸２７ａの先端部がねじ挿通孔３０ａに挿通された状態となる。このため、取着ねじ２７がねじ挿通孔３０ａから抜け落ちることを効果的に抑制（規制）することができる。
【００４３】
（３）カバー部材２６が閉塞位置と開放位置との間で回動される際に、取着ねじ２７が規制部３１によって常に鉛直方向の下側から支持されるため、該取着ねじ２７がねじ挿通孔３０ａから抜け落ちることを効果的に抑制（規制）することができる。
【００４４】
（４）通常、カバー部材２６が開放位置にある（最大限開放された）状態では、取着ねじ２７のねじ先２７ｃが上側を向くため、該取着ねじ２７がねじ挿通孔３０ａから抜け落ち易くなる。この点、本実施形態では、カバー部材２６が開放位置にあっても規制部３１によって取着ねじ２７が下側から支持されるため、該取着ねじ２７がねじ挿通孔３０ａから抜け落ちることを抑制（規制）することができる。
（変更例）
なお、上記実施形態は以下のような別の実施形態に変更してもよい。
【００４５】
・カバー部材２６が開放位置にある状態で、取着ねじ２７のねじ先２７ｃが必ずしも上側を向くようにする必要はない。
・カバー部材２６において、当接部３１ｂから開口面２６ａまでの距離Ａは、必ずしも取着ねじ２７の全長Ｂよりも短くなるように設定する必要はない。
【００４６】
・カバー部材２６の各軸部３２が水平面に対して斜めに延びるように、該カバー部材２６をキャリッジ１６に取着してもよい。すなわち、カバー部材２６の回動軸線が水平面に対して斜めに延びるようにしてもよい。
【００４７】
・カバー部材２６は、キャリッジ１６から完全に離間した状態で取り外せるように構成してもよい。すなわち、カバー部材２６の各軸部３２を省略して、カバー部材２６をキャリッジ１６に対して取着ねじ２７により着脱自在に構成してもよい。
【００４８】
・取着部材は、キャリッジ１６に対してねじで着脱自在に構成された部材であれば、カバー部材２６以外の任意のものであってもよい。
・対象物は、ねじで着脱自在に任意の取着部材が取着可能なものであれば、キャリッジ１６以外のどのようなものであってもよい。
【００４９】
・規制部３１をゴムなどのエラストマーによって構成してもよい。
・規制部３１を磁石によって構成してもよい。この場合、取着ねじ２７は磁石に吸着される材質のものにするとともに、規制部３１の磁力を該規制部３１に吸着された取着ねじ２７が作業者によって容易に外すことができる程度に設定することが好ましい。このようにすれば、取着ねじ２７が磁力によって規制部３１に吸着されて保持されるので、該取着ねじ２７がねじ挿通孔３０ａから抜け落ちることをより一層効果的に抑制（規制）することができる。
【００５０】
・規制部３１における取着ねじ２７との接触面に粘着性を持たせるようにしてもよい。この場合、規制部３１の粘着力を該規制部３１に粘着された取着ねじ２７が作業者によって容易に外すことができる程度に設定することが好ましい。このようにすれば、取着ねじ２７が粘着力によって規制部３１に粘着されて保持されるので、該取着ねじ２７がねじ挿通孔３０ａから抜け落ちることをより一層効果的に抑制（規制）することができる。
【００５１】
・上記実施形態では、記録装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００５２】
１１…記録装置としてのインクジェット式プリンター、１６…対象物としてのキャリッジ、２６…取着部材としてのカバー部材、２６ａ…開口面、２７…ねじとしての取着ねじ、２７ａ…取着ねじ２７の軸、２７ｂ…取着ねじ２７の頭、２７ｃ…取着ねじ２７のねじ先、３０ａ…ねじの抜け落ち規制構造を構成するねじ挿通孔、３１…ねじの抜け落ち規制構造を構成する規制部、３１ａ…連結部、３１ｂ…当接部、３２…カバー部材２６の軸部。
【図１】
0005593945.tif 000002
【図２】
0005593945.tif 000003
【図３】
0005593945.tif 000004
【図４】
0005593945.tif 000005
【図５】
0005593945.tif 000006
【図６】
0005593945.tif 000007
【図７】
0005593945.tif 000008
【図８】
0005593945.tif 000009